(57)【要約】  校正された温度測定を容易にするシステム及び方法が説明される。そのようなシステムは、温度を変化させる目標物体、期間にわたる目標物体の温度の第1の測定セットを作ることができるテスト赤外線(IR)温度センサー、及び、期間にわたる目標物体の温度の第2の測定セットを作ることができる基準IR温度センサーを含むことができる。さらに、システムは、第1の測定セットを第2の測定セットと比較し、比較に基づいてテストIR温度センサーの精度を決定する校正ユニットを含むことができる。【選択図】図１
2015510128.tif 000002
【特許請求の範囲】
【請求項１】
温度を変化させる目標物体と、
期間にわたる前記目標物体の前記温度の第1の測定セットを作るテスト赤外線(IR)温度センサーと、
前記期間にわたる前記目標物体の前記温度の第2の測定セットを作る基準IR温度センサーと、
前記第2の測定セットと前記第1の測定セットを比較し、前記比較に基づいて、前記テストIR温度センサーの精度を決定する校正ユニットと、
を含むことを特徴とする校正された温度測定を容易にするシステム。
【請求項２】
前記校正ユニットは、前記比較に基づいて、前記テストIR温度センサーの前記精度を確認する、又は、前記テストIR温度センサーのための必要とされた校正の範囲を決定することを特徴とする請求項1に記載のシステム。
【請求項３】
前記校正ユニットは、必要とされた校正の前記決定された範囲に基づいて、自動的に前記テストIR温度センサーを校正することを特徴とする請求項2に記載のシステム。
【請求項４】
前記校正ユニットは、前記テストIR温度センサーによって得られた、前記目標物体の前記温度の第3の測定セットと、前記基準IR温度センサーによって得られた、前記目標物体の前記温度の第4の測定セットと、の間の、少なくとも一部分の比較に基づいて、前記テストIR温度センサーの前記精度を再度確認し、前記第3の測定セット、及び、前記第4の測定セットは、前記テストIR温度センサーの校正の後に得られることを特徴とする請求項3に記載のシステム。
【請求項５】
前記基準IR温度センサーは、路面温度センサーであることを特徴とする請求項1に記載のシステム。
【請求項６】
前記テストIR温度センサーは、路面温度センサーであることを特徴とする請求項1に記載のシステム。
【請求項７】
前記目標物体は、アルミニウムブロックを含むことを特徴とする請求項1に記載のシステム。
【請求項８】
前記目標物体は、前記目標物体に前もって定義した放射率を提供する表面処理を含むことを特徴とする請求項1に記載のシステム。
【請求項９】
前記放射率は0.96であることを特徴とする請求項8に記載のシステム。
【請求項１０】
前記基準IR温度センサーは、制御された条件の下で校正された、請求項1に記載のシステム。
【請求項１１】
前記基準IR温度センサー及び前記テストIR温度センサーは両方とも、前記校正ユニットに取り付けられることを特徴とする請求項1に記載のシステム。
【請求項１２】
周囲の温度とは異なる開始温度に目標物体を設定し、
期間にわたる前記温度変化として、前記目標物体の前記温度をテストセンサーによって測定し、
期間にわたる前記温度変化として、前記目標物体の前記温度を基準センサーによって測定し、
前記テストセンサーによって測定された前記温度と、前記基準センサーによって測定された前記温度と、を比較し
前記テストセンサーの精度を、前記比較の少なくとも一部分に基づいて決定する
ことを含むことを特徴とする校正された温度測定を容易にする方法。
【請求項１３】
前記決定された精度の少なくとも一部分に基づいて、前記テストセンサーを校正すること、をさらに含むことを特徴とする請求項12に記載の方法。
【請求項１４】
前記設定し、前記テストセンサーによって測定し、前記基準センサーによって測定し、比較し、決定するステップは、前記テストセンサーを校正した後に繰り返されることを特徴とする請求項13に記載の方法。
【請求項１５】
前記目標物体には0.96の放射率を有することを特徴とする請求項12に記載の方法。
【請求項１６】
前記開始温度は、32°F（0°Ｃ）、又は、それ以下であることを特徴とする請求項12に記載の方法。
【請求項１７】
前記テストセンサー及び前記基準センサーを校正ユニットに搭載することを特徴とする請求項12に記載の方法。
【請求項１８】
前記テストセンサーと前記基準センサーを、前記周囲の温度に設定することをさらに含むことを特徴とする請求項12に記載の方法。
【請求項１９】
前記期間は、前記周囲の温度に達するために、前記目標物体のための必要な前記の時間であることを特徴とする請求項12に記載の方法。
【請求項２０】
基準IRセンサーを取り付けるのに適した基準センサーポートと、
前記テストIRセンサーを取り付けるのに適したテストセンサーポートと、
目標物体を取り付けるために適したステージ領域と、
を含むことを特徴とするテスト赤外線(IR)センサーの校正を容易にする校正ユニット。
【発明の詳細な説明】
【技術分野】
【０００１】
（関連出願の相互参照）
この出願は、「赤外線温度センサー校正システム及びその方法」と名称をつけられ、2012年2月27日に提出された米国仮出願シリアル61/603,695号(Atty. Dkt. No.104308.202PRO)、及び、「赤外線温度センサー校正システム及びその方法」と名称をつけられ、2012年7月23日に提出された、米国特許出願シリアル13/555,715号の利益を求める。上記の出願の全体は、参照によってここに組込まれる。
【背景技術】
【０００２】
赤外線(IR)温度センサーは、乗り物に関する車道の条件(例えばアイシング、氷形成条件など)の検知のような、様々な用途で使用される。フィールドの測定は広くセンサーを使用し、制御された状態、研究所、工場などで有効なそれらほど精密でなく、それほど正確でない測定を提供する。
【０００３】
IR温度センサーは、その視界の物体によって発せられた熱エネルギーの検知により作動する。カメラが像を再作成する光の強度及び色を拾い上げるので、IR検出器はその目標を「見る」に違いない。IR強度は、センサーによって見られた物体の表面のタイプ又は「色」と見なすことができる放射率とも温度とも関係がある。完全な「黒体」の放射率は1.0であると定義される。車道温度の感知に関係する実例では、コンクリートとアスファルトはおおよそ0.96の放射率を有する。
【０００４】
温度が正確に検知される場合には、例えば、氷又は雪を溶かすために車道上へ材料を分配する、あるいは、トラクションの損失を防ぐ、適切な処置又は予防措置を講ずることができる。しかしながら、温度が正確に決定されない場合には、例えば、それが材料及び関連する経費の不必要な使用に結びつくかもしれない、不必要な処置又は予防措置が講じられるかもしれない。さらに、不正確な測定は、必要な処置又は予防措置を講じない原因となり、車道の実例において、安全でない運転の状態や、渋滞した交通量などに帰着する。
【０００５】
市場には、いろいろなIR温度センサー校正器がある。これらはしばしば黒体目標と称される。これらの装置は通常比較的小さな目標領域を有しており、異なる放射率を補償するために補正率を使用する。さらに、それらは、温度を制御するために、複雑で高価な電気的な冷却及び加熱装置を使用する。その後、目標表面は単一の点で測定される。これらの能動素子は非常に非能率的で、目標表面の至る所で不揃いの温度を作成しやすく、通常、高価な再校正を要求する。
【発明の概要】
【０００６】
下記は、本イノベーションのいくつかの実施形態の基本的了解事項を提供するために本イノベーションの簡潔にされた要約を示す。この要約は本イノベーションの広範囲な概観ではない。それは、本イノベーションの要所/重大な要素を確認すること、 又は、 本イノベーションの範囲を線引きすることを意図しない。その唯一の目的は、それは後で示される、より詳細な記述の序章として、簡潔になった形式で、本イノベーションのいくつかの概念を示すことである。
【０００７】
本実施形態では、本イノベーションは、測定された温度測定を容易にするシステムを含むことができる。そのようなシステムは、温度を変化させる目標物体を含むことができ、システムは、期間にわたる目標物体の温度の第1の測定セットを作ることができるテスト赤外線(IR)温度センサーの校正を容易にすることができる。本システムはさらに、それは、期間にわたる目標物体の温度の第2の測定セットを作ることができる基準IR温度センサーを含むことができる。さらに、本システムは、第1の測定セットを第2の測定セットと比較し、比較に基づいたテストIR温度センサーの精度を決定する校正ユニットを含むことができる。
【０００８】
他の実施形態では、本イノベーションは、校正された温度測定を促進する方法を含むことができる。本方法は、周囲温度とは異なる開始温度に目標物体をセットし、 期間にわたる温度変化としてテストセンサーによって目標物体の温度を測定し、期間にわたる温度変化として基準のセンサーによって目標物体の温度を測定する動作を含むことができる。さらに、本方法は、基準のセンサーによって測定された温度と、テストセンサーによって測定された温度とを比較し、 少なくとも比較の一部に基づいて、 テストセンサーの精度を決定するステップを含むことができる。
【０００９】
前述の目的及び関連した目的を達成するために、本イノベーションのある実例となる実施形態は、次の記述及び添付された図面に関してここに記述される。しかしながら、これら実施形態は、本イノベーションの原理を使用することができる但し少数の様々な方法を示し、本イノベーションは、そのような実施形態及びそれらの等価物をすべて含むように意図される。図面と共に考慮された場合に、本イノベーションの他の利点及び新しい特徴は、本イノベーションの次の詳細な記述から明白になるだろう。
【図面の簡単な説明】
【００１０】
【図１】図1は、本イノベーションの実施形態に従って、テストされる1つ以上の赤外線温度センサーの精度を校正することができるか、又は、確認するシステムを図示する。
【図２】図2は、本イノベーションの実施形態に従って、テストセンサーを校正し、及び/又は、確認する方法論を図示する。
【図３】図3は、本イノベーションの1つの実施形態例における、テストセンサー、基準センサー、校正ユニット、及び、目標物体の配置を示す概略例を図示する。
【図４】図4は、本イノベーションの実施形態に従って、校正ユニットの実施形態例の透視図を図示する。
【図５】図5は、本イノベーションの別の実施形態例の透視図を示す。
【図６】図6は、開示された構成を実行するために使用可能なコンピューターのブロックダイヤグラムを図示する。
【発明を実施するための形態】
【００１１】
本イノベーションは今、図面を参照して記述され、そこで、同様の参照番号が、同様の要素を全て参照するために使用される。以下の記述では、説明の目的のために、多数の特別の詳細は、本イノベーションについての完全な理解を提供するために述べられる。しかしながら、これらの特別の詳細なしで本イノベーションを実行することができることは明白であろう。他の実例において、よく知られている構造及び装置は、本イノベーションについて記述することを容易にするために、ブロックダイヤグラムの形で示される。
【００１２】
この出願の中で使用されたように、「構成要素」及び「システム」の用語は、ハードウェア、ハードウェアとソフトウェアの組み合わせ、ソフトウェア、又は、実行ソフトウェア、コンピューター関連の要素のいずれかを指すように意図される。例えば、構成要素は、プロセッサ上で動くプロセス、 プロセッサ、オブジェクト、実行可能ファイル、実行のスレッド、プログラム及び/又はコンピューターでありえるが、制限されない。例として、サーバー上で作動するアプリケーションとサーバーの両方は構成要素になりえる。1以上の構成要素がプロセス及び/又は実行のスレッド内に存在することができ、構成要素は1つのコンピューターに集中し、かつ、又は2以上のコンピューター間で分散することができる。
【００１３】
本実施形態では、本イノベーションのシステム及び方法は、1以上の赤外線温度センサーの校正を容易にすることができる。本イノベーションのシステム及び方法は、受動的な目標物体又は装置の使用によって、1以上のテストセンサーのフィールド校正を提供することができる。様々な実施形態では、本イノベーションは、赤外線温度センサーのフィールド校正(あるいは確認)の新しく、信頼できて、費用効率の高い方法を提供することができる。
【００１４】
本実施形態では、本イノベーションのシステム及び方法は校正目標物体として受動的なブロック又は他の物体を使用することができる。ブロックは、一定で安定した温度を保証するために熱を伝導し保持する、特に選ばれた材料で作ることができる。さらに、特別の表面コーティングは、精密にセンサーが実世界の用途で作動する方法を再現する高忠実度モデルを提供するために、目標物体上で使用することができる。工場では、物体の温度は保証され追跡可能な温度センサーを使用して正確に測定することができる。その後、この読み取りは、本イノベーションのシステムで含むことができる、IRセンサーを保証するために使用することができる。この基準は、通常動作の間に目標物体の温度を示すのに使用可能な追跡可能な測定になりえる。
【００１５】
図1に移り、図示されたものは、本イノベーションの実施形態に従って、テストされる1以上のテスト赤外線温度センサー(「テストIR温度センサー」、「テストセンサー」又は「テスト中のユニット」)102の精度を校正し確認するシステム100である。システム100は、基準又は参照センサー104、校正ユニット106、及び、目標物体108を含み、それは、1以上のテストセンサー102の精度を確認するために1以上の情報、又は、手動で1以上のテストセンサー102を校正するのに(例えば、不一致を補償することを含む)使用可能な情報、を提供することができ、自動的に1以上のテストセンサー102を校正することができる。
【００１６】
基準又は参照赤外線温度センサー(「基準IR温度センサー」又は「基準センサー」)104は、米国特許5,796,344、6,166,657又は6,206,299号に記述されたもの(その各々の全体は参照によってここに組込まれる)を含み、RoadWatch(登録商標) ブランドセンサーシステムなどの、路面温度の測定に使用可能な能動的か受動的な赤外線センサーのような様々な赤外線温度センサーのいずれかでありえる。代替実施形態では、他の赤外線温度センサーは基準センサー104として使用することができる。基準センサー104は、管理された条件の下で確認され及び/又は校正された赤外線温度センサーになりえる。例えば、基準センサー104は、例えば保証されて追跡可能な温度センサーの使用により、工場又は他の場所での管理された状態でのように、目標物体108の温度又は同様のアイテムを正確に測定する多くの手段のうちのいかなるものに関して、目標物体108又は同様のアイテムの測定に基づいて、確認し及び/又は校正することができる。基準センサー104の確認及び/又は校正によって、基準センサー104は、正確な参照として確認及び/又は1以上のテストセンサー102の校正に使用することができる。
【００１７】
様々な実施形態では、基準センサー104は、校正ユニット106のセンサーポートに(例えば、移動できるように、など)取り付けることができ、1以上のテストセンサー102は、校正ユニット106の1以上の他のセンサーポートに取り付けることができ、それによって、基準センサー104及び1以上のテストセンサー102の配置は、確認及び/又は校正の精度を改善できる、単一の目標物体108から比較可能な信号を受け取るために、位置することができる。
【００１８】
校正ユニット106は、1つ以上のテストセンサー102及び基準センサー104の相互作用のためのインターフェースを提供することができ、基準センサー104の測定に基づいて、1以上のテストセンサー102の確認及び/又は校正を容易にすることができる。さらに、ユニット106は、1つ以上のテストセンサー102、基準センサー104、及び、目標物体108のためのハウジングを有し、テストセンサー102及び基準センサー104による目標物体108の正確な測定を保証するために、互いに関連する位置にセンサーと目標物体を維持する。校正ユニットは、校正ユニット106及び可能性としてシステム100の他の構成要素に電源を供給するために、内部か外部電源(例えば5VのDCの電源など)を含むことができる。校正ユニット106は、その中で取り付けているか、そうでなければそれにつながれたセンサー102又は104のための温度示度(例えば華氏、摂氏などの)を表示することができる。さらに、校正ユニット106は、システム100のユーザーに、校正の進行(例えば、インジケータによって、校正試験が進行中か終わったことを示すこと、テストセンサー102を校正する必要がある、又は、校正された量の表示、など)、シリアル番号 又は 校正ユニット106に接続されたテストセンサー102のための他の識別情報、などのような、さらに詳しい情報を提供することができる。
【００１９】
目標物体108は、様々な材料のうちのいずれかででも作ることができ、目標物体108の全体にわたって本質的に一定温度を維持する一方、温度間にそれがゆっくり移行することができるような(例えば最小の温度勾配など)、比較的高い熱容量及び熱伝導率を有することができる。1つの実施形態では、目標物体108はアルミニウムで作ることができ、他の金属(例えば銅、銀など)を使用することができるが、同様に、ここに記述されたもののような材料特性を有する、非金属材料(例えばセラミックスなど)、又は他の材料も使用できる。目標物体108は、規定された放射率(例えば、0.96(コンクリートまたはアスファルトに対応する放射率)、0.90などのような、0までの1(黒体)からの何でも)にその放射率を設定するために表面処理で処理することができる。
【００２０】
システム100の目標物体108は周囲温度(例えば室温など)と異なる開始温度に設定することができる。目標物体108の温度が変化するとともに、テストセンサー102及び基準センサー104は、目標物体108の温度の1セットの測定を各々採用して、経時的な目標物体108の温度を測定することができる。校正ユニット106は、テストセンサー102及び基準センサー104からの測定を比較することができる。比較に基づいて、校正ユニット106は、テストセンサー102の精度を決定することができる。例えば、測定期間(例えば所定の量の時間、周囲温度又は異なる温度に達する目標物体108のために必要な時間など)の間に、測定が、しきい値(例えば、所定の値、例えば、華氏又は摂氏度の、ほんの少しの度、1度、又は1度前後、などのような、小さな度）の内に合致する場合には、校正ユニット106は、テストセンサー102が正確であることを確認することができる(1つを超えるテストセンサーが使用される場合には、各々のために個別の結果を得ることができることが理解される)。しかしながら、テストセンサー102及び基準センサー104の測定が、所定のしきい値の内に合致しない場合、校正ユニット106はテストセンサー102が校正を要求することを決定することができる。本実施形態では、校正ユニット106は、校正を要求すると決定されたテストセンサー102を自動的に校正することができ、その結果、校正の後のそのようなテストセンサー102の測定は、基準センサー104のものに一致する。任意に、校正の後、テストセンサー102は、測定が、しきい値の内に基準センサー104のものに一致することを決定するために、再度チェックするか再度確認することができる。任意に、テストセンサー102の測定が、所定のしきい値の内に、基準センサー104のものと一致しない場合には、校正の試み(例えば1、2など)のいくらかの定数の後に、テストセンサー102は欠陥があり、交換を必要としていると決定できる。
【００２１】
今図2を参照して、本イノベーションの実施形態に従って、テストセンサーを校正し、及び/又は、確認する方法200が図示される。一方、説明の単純性の目的のために、ここに示された1つ以上の方法は、例えば、フローチャートの形式で、一連の行為として示され記述されるが、いくつかの行為が、本イノベーションに従って、ここに示され記述されたそれから、異なる順で、及び/又は、他の行為と同時に生じるかもしれないので、本イノベーションは行為の順序で制限されていないことは理解され認識される。例えば、当業者は、代わりに一連の相互関係があった状態又はイベントとして、方法を状態図のように表わすことができることを理解し認識するだろう。さらに、すべての図示する行為は本イノベーションに従って方法を実施するために要求されるとは限らないかもしれない。
【００２２】
方法200は202で始まる場合があり、そこでは、目標物体(例えば目標物体108)は、目標物体の全体にわたって一様に、開始温度(例えば車道アイシングセンサー用途などでの約32°F(0°C))を得るために、例えば、十分な期間の間適切な位置か環境にそれを置くことによって、開始温度に設定することができる。開始温度はセンサーがそのために使用されることになっている特定用途に依存して変わってよく、要求される時間は、目標物体の最初の温度、第1の温度、目標物体などの材料特性、に依存してよい。
【００２３】
204で、まだ校正ユニットに取り付けていない場合には、センサー(例えば基準センサー、テストセンサーなど)は校正ユニットに取り付けることができる。本実施形態では、基準センサーはテストセンサーとは異なる位置（1つの実施形態ではセンサーポート）に取り付けることができる。次に、206で、校正ユニット、基準センサー及び1つ以上のテストセンサーは、開始温度と異なる周囲温度(例えば室温など)に設定することができる。再び、これらの構成要素が以前にあった温度、材料特性及び他の要因によって、これはある期間(例えば20分など)を採用してよい。
【００２４】
208で、必要ならば目標物体は、テストセンサー及び基準センサーの視野内に置くことができる。また、センサーは、開始温度から周囲温度まで、その温度変化として目標物体の温度を測定することができる。210で、テストセンサーからの時間以上の温度測定は、例えば、テストセンサーからの測定が基準センサーのものからの測定の所定のしきい値の内にあるか否か決定することによって、テストセンサーの精度を決定するために、基準又は参照センサーのものと比較することができる。測定が、所定のしきい値の内に、一致する場合には、その後、212で、正確なものとしてテストセンサーは確認することができる。しかしながら、テストセンサーの測定が、所定のしきい値の内に、基準センサーのものと一致しない場合には、その後、214で、テストセンサーは、少なくとも一部測定に基づいて校正することができる(例えば、基準センサーのものに一致させるために、測定の相違に基づいたテストセンサーの校正の調整によって、等)。その後、任意に、214から、校正されたテストセンサーの精度を確認するように繰り返すために、方法は202まで戻ることができる。さらに、図2に図示されなかったが、校正されたテストセンサーの測定が若干の校正の試みの後に基準センサーのものの所定のしきい値の内に一致しない場合には、テストセンサーが一致しない決定をすることができる。
【００２５】
図3に移り、1つの実施形態例中のテストセンサー302、基準センサー304、校正ユニット306及び目標物体308の配置を示す概略例が図示される。しかしながら、他の実施形態では、これらの構成要素が異なる配置がされることは、理解される。
【００２６】
図4は、本イノベーションの実施形態例の透視図を図示する。本実施形態では、本イノベーションは校正ユニット402を含むことができる。校正ユニット402は、1以上のテストセンサーポート404を含むことができ、そこでは、1以上のテストセンサーは取り付けることができ、さらに基準センサーを取り付けるために、少なくとも1つの基準センサーポート406を含むことができる。さらに、校正ユニット402は、ユーザインターフェース408を含むことができ、それは、スクリーン、スピーカーなどのような1以上の出力機器410、及びボタンなどのような1以上の入力機器412を含むことができる。校正ユニット402は、センサーを校正するために使用される目標物体(例えば目標物体108など)の一貫した配置を提供することができるステージ領域を含むことができる。例えば、センサーポート404及び406はステージ領域に関連して配置することができ、その結果、目標物体がステージ領域に配置される場合には、テストセンサーポート404及び基準センサーポート406の両方に配置されたセンサーには目標物体の同様の像があり、テストユニットの正確で一貫した校正を容易にすることができる。
【００２７】
図5は、1つ以上のテストセンサーポート504、少なくとも1つの基準センサーポート506及びユーザインターフェース508を含む、本イノベーションの校正ユニット502の透視図を示す。基準センサー(例えば基準センサー104)は一次基準512によって目標物体510の実質上同時の測定に基づいた基準センサーによる目標物体510の測定の校正により確認し、(例えば管理された状態などで)校正することができる。一次基準512はフィールド測定のために用いられたセンサーより正確なIRセンサーになりえる。一次標準512への基準センサーの校正によって、フィールド校正のための使用された基準センサーの精度は、それがそうでなければそうであるより大きくなりえる。
【００２８】
今図6を参照して、特徴のうちのいくつかを実行することができるコンピューターのブロックダイヤグラム及び/又は本イノベーションの構成要素が図示される。本イノベーションの様々な実施形態のための付加的なコンテキストを提供するために、図6及び以下の議論は、本イノベーションの様々な実施形態が実施することができる適切なコンピューティング環境600の簡潔な概要を提供するために意図される。本イノベーションが1つ以上のコンピューター上で動くコンピューター実行可能ファイル命令の一般的なコンテキストに上に記述されている一方、当業者はさらに本イノベーションは、他のプログラムモジュールと結合して、及び/又は、ハードウェアとソフトウェアの組み合わせとして実施することができることを理解するだろう。
【００２９】
一般に、プログラムモジュールは、特別のタスクか手段、又は特別の抽象データ型を実行するルーチン、プログラム、コンポーネント、データ構造などを含む。さらに、当業者は、創造性のある方法は、効果的に各々の1つ以上の関連する装置につなぐことができる、パーソナルコンピュータ、携帯型の計算装置、マイクロプロセッサーに基づいているかプログラム可能な家電など、と同様に、シングルプロセッサ又はマルチプロセッサコンピュータシステム、ミニコンピューター、メインフレームコンピューターを含む他のコンピュータシステム構成で実行することができることを理解するだろう。
【００３０】
本イノベーションの図示する実施形態も、通信網によってリンクされるリモート処理ユニットによってあるタスクが実行される分散コンピューティング環境中で実行されてよい。分散コンピューティング環境では、プログラムモジュールはローカルリモート記憶装置の両方に位置することができる。
【００３１】
コンピューターは典型的には様々なコンピューターが読めるメディアを含んでいる。コンピューターが読めるメディアは、コンピューターによってアクセスすることができ、揮発性・不揮発性のメディア、リムーバブル・非リムーバムルメディア、を含むあらゆる利用可能なメディアになりえる。制限ではなく実例として、コンピューターが読めるメディアはコンピューター記憶メディア及び通信メディアを含むことができる。コンピューター記憶メディアは、コンピューターが読める命令、データ構造、プログラムモジュール又は他のデータのように、情報の記憶のための任意の方法又は技術で実装された、揮発性・不揮発性、リムーバムル・非リムーバブルメディアを含む。コンピューター記憶メディアは、所要の情報を格納するために使用することができ、コンピューターがアクセスすることができる、RAM、ROM、EEPROM、フラッシュメモリー又は他のメモリ技術、CD-ROM、ディジタル・バーサタイル・ディスク(DVD)又は他の光ディスク記憶装置、磁気カセット、磁気テープ、磁気ディスク記憶装置又は他の磁気記憶装置、あるいは他のメディア含むが、制限されない。
【００３２】
通信メディアは、典型的にはコンピューターが読める命令、データ構造、プログラムモジュール又は他のデータをキャリア波又は他の移送メカニズムのような調整されたデータ信号で具体化し、いかなる情報デリバリーメディアも含んでいる。用語「調整されたデータ信号」は、信号中の情報をエンコードするような方法で1つ又はその特性のそれ以上を設定するか変化させられる信号を意味する。制限ではなく実例として、通信メディアは、有線ネットワークか直接の有線接続のような有線メディア、及び、音響、RF、赤外線、及び、他である無線メディアのような無線メディアを含む。上記のうちのいかなるものの組み合わせも、コンピューターが読めるメディアの範囲に含まれているべきである。
【００３３】
図6を再び参照して、本イノベーションの様々な実施形態を実施するための典型的な環境600は、コンピューター602、処理ユニット604を含むコンピューター602、システムメモリ606及びシステムバス608を含む。システムバス608は、システムメモリ606をこれに制限されずに含むシステムコンポーネントを処理ユニット604に接続する。処理ユニット604は様々な市販のプロセッサのいずれかでありえる。デュアルマイクロプロセッサー及び他のマルチプロセッサ・アーキテクチャも処理ユニット604として使用されてよい。
【００３４】
システムバス608は、それは、様々な市販のバス・アーキテクチャのうちのいかなるものでも使用して、さらにメモリーバス(メモリコントローラの有り無しの)、周辺のバス及びローカルバスに相互に接続してよい、いくつかのタイプのバス構造のいずれかでありえる。システムメモリ606は、読み取り専用メモリ(ROM)610及びランダム・アクセス・メモリー(RAM)612を含む。基本入出力システム(BIOS)は、ROM、EPROM、EEPROMのような不揮発性のメモリ610に格納され、BIOSは、スタートアップ中のように、コンピューター602内の要素間の情報を転送するのを支援する基本のルーチンを含む。RAM612は、さらにデータをキャッシュに入れるためのスタティックRAMのような高速RAMを含むことができる。
【００３５】
コンピューター602はさらに、内部ハードディスクドライブ(HDD)614(例えばEIDE、SATA)（内部ハードディスクドライブ614も適切なシャーシ(不図示)で外部使用するために構成されてよい）と、磁気フレキシブルディスクドライブ(FDD)616(例えばリムーバブルディスク618から読むか書き込む)と、光ディスクドライブ620(例えば、CD-ROMディスク622を読むこと、又は、他の高容量DVDのような光学のメディアから読むか書き込む)と、を含む。ハードディスクドライブ614、磁気ディスク装置616及び光ディスクドライブ620は、ハードディスクドライブインターフェース624、磁気ディスク装置インターフェース626及びオプティカルドライブ・インターフェース628によってシステムバス608にそれぞれ接続することができる。外付け型ドライブ実装のためのインターフェース624はユニバーサルシリアルバス(USB)及びIEEE1394インターフェース技術の少なくとも1つ又は両方を含む。他の外付け型ドライブ接続技術は本イノベーションの意図内にある。
【００３６】
ドライブ及びそれらの関連するコンピューターが読めるメディアは、データ、データ構造、コンピューター実行可能ファイル命令などの不揮発性記憶を提供する。コンピューター602については、ドライブとメディアは、適切なデジタル形式で任意のデータの記憶を提供する。上記のコンピューターが読めるメディアの記述はHDD、リムーバブルな磁気ディスク、及び、CDかDVDのようなリムーバブルな光学のメディアを言及するが、ジップ・ドライブ、磁気カセット、フラッシュ・メモリカード、カートリッジなどのような、コンピューターによって読取り可能である、他のタイプのメディアが、さらに典型的な操作環境の中で使用されてよく、そして、いかなるそのようなメディアも、イノベーションの方法を実行するためのコンピューター実行可能ファイル命令を含んでよいことは、当業者によって理解されるべきである。
【００３７】
多くのプログラムモジュールは、オペレーティングシステム630、1以上のアプリケーションプログラム632、他のプログラムモジュール634及びプログラムデータ636を含むドライブとRAM612に格納することができる。オペレーティングシステム、アプリケーション、モジュール及び/又はデータのすべて又は部分も、RAM612に貯えることができる。様々な市販のオペレーティングシステム又はオペレーティングシステムの組み合わせでイノベーションを実施することができることが理解される。
【００３８】
ユーザーは、1つ以上の有線/無線通信入力機器(例えばキーボード638、マウス640のようなポインティングデバイス)を通してコンピューター602へコマンドと情報を入力することができる。他の入力機器(不図示)はマイクロホン、IRリモートコントロール、ジョイスティック、ゲームパッド、スタイラスペン、タッチスクリーンなどを含んでよい。これら及び他の入力機器は、システムバス608につながれるが、パラレルポート、IEEE1394シリアルポート、ゲームポート、USBポート、IRインターフェースなどのような他のインターフェースによって接続することができる入力機器インターフェース642によって処理ユニット604に多くの場合接続される。
【００３９】
モニター644又は他のタイプのディスプレイ装置もビデオアダプタ646のようなインターフェース経由でシステムバス608に接続される。モニター644に加えて、コンピューターは、典型的にはスピーカー、プリンタなどのような他の周辺の出力装置(不図示)を含んでいる。
【００４０】
コンピューター602は、有線及び/又は無線通信によって、リモートコンピューター648のような、1以上のリモートコンピューターに対する、論理的な接続を使用して、ネットワークにつながれた環境の中で作動してよい。リモートコンピューター648は、ワークステーション、サーバーコンピューター、ルーター、パーソナルコンピュータ、ポータブルコンピューター、マイクロプロセッサーに基づいた娯楽器具、ピアデバイス又は他の共通のネットワークノードになりえ、簡潔さの目的のために、メモリ/記憶装置650だけは図示されるが、典型的にはコンピューター602に関連して記述された要素の多く又はすべてを含む。表された論理的な接続は、ローカルエリアネットワーク(LAN)652、及び/又は、より大きなネットワーク(例えば広域ネットワーク(WAN)654)への有線/無線通信接続を含む。環境をネットワーク化するそのようなLAN及びWANは、オフィスと会社でありふれており、そして、イントラネットのような企業全体に渡るコンピューターネットワークを容易にし、そのすべてがグローバルな通信網(例えばインターネット)に接続することができる。
【００４１】
LANのネットワーク環境の中で使用された場合には、コンピューター602は、有線及び/又は無線通信ネットワークインターフェイス又はアダプター656によってローカルネットワーク652に接続される。アダプター656は、LAN652への有線又は無線通信を容易にする。それは、さらに無線アダプター656と通信するために、その上に配置された、ワイヤレスアクセスポイントを含んでよい。
【００４２】
WANネットワーク環境の中で使用された場合には、コンピューター602は、モデム658を含むことができ、又は、WAN654の上の通信サーバーに接続され、又は、WAN654の上の通信を確立するためのインターネットのような他の手段を有している。内部又は外部、及び、有線又は無線装置でありうるモデム658は、シリアルポートインターフェース642を介してシステムバス608に接続される。ネットワークにつながれた環境では、コンピューター602に関連して表された、プログラムモジュールあるいはそれの部分は、リモートメモリ/記憶装置650に格納することができる。示されたネットワーク接続は典型的であり、コンピューター間の通信リンクを確立する他の手段を使用することができることが理解されるだろう。
【００４３】
コンピューター602は、任意の無線装置あるいは、効果的に無線通信中に配置された要素（例えば、プリンタ、スキャナー、デスクトップ及び/又はポータブルコンピューター、ポータブルデータアシスタント、通信衛星、無線で検知できるタグに関連した位置又は設備の任意の部分(例えばキオスク、ニューススタンド、洗面所)、及び、電話）と通信する操作が可能である。これは少なくともWi-Fi（登録商標）及びBluetooth(登録商標)の無線技術を含む。したがって、その通信は、従来のネットワーク、又は、単に少なくとも2つの装置間のアドホックな通信でのようなあらかじめ定められた構造になりえる。
【００４４】
Wi-Fi（登録商標）は、家のソファー、ホテルの部屋のベッド、又は、仕事の会議室、から、有線接続なしでインターネットへの接続を可能にする。Wi-Fi（登録商標）は、携帯電話の中で使用されるそれに類似する無線技術である。そのような装置(例えばコンピューター)は、それによって、基地局の範囲内のいかなる場所でも、屋内外でデータを送り受け取ることができる。Wi-Fi（登録商標）ネットワークは、安全で、信頼できて、速い無線通信接続を提供するためにIEEE802.11(a、b、gなど)と呼ばれる無線通信技術を使用する。Wi-Fi（登録商標）ネットワークは、インターネット及び有線ネットワーク(IEEE802.3又はイーサネット（登録商標）を使用する)にコンピューターを互いに接続するために使用することができる。Wi-Fi（登録商標）ネットワークは、例えば、又は両方のバンド(デュアルバンド)を含む製品で、無免許の2.4及び5GHzの無線通信バンドで、11Mbps(802.1 la)又は54Mbps(802.1 lb)のデータ転送速度で作動し、ネットワークは多くのオフィスで使用される基礎的な10BaseT有線イーサネット（登録商標）ネットワークに似る実世界のパフォーマンスを提供することができる。
【００４５】
上に記述されたものは、本イノベーションの例を含んでいる。それは、もちろん、本イノベーションについて記述する目的のための構成要素か方法のすべての考えられる組み合わせについて、記述することができる。しかし、当業者は、多くのさらなる組み合わせ及び本イノベーションの交換が可能であることを理解するかもしれない。従って、本イノベーションは、添付された請求項の精神及び範囲以内にあるような変更、修正及び変化をすべて包含するように意図される。更に、詳細な説明や請求項のいずれかの中で使用される用語「includes」は、請求項で過渡的な単語として使用された場合には、「comprising」に解釈されるので、そのような用語は、用語「comprising」に対し、類似した方式で包括的になるように意図される。
【図１】
2015510128.tif 000003
【図２】
2015510128.tif 000004
【図３】
2015510128.tif 000005
【図４】
2015510128.tif 000006
【図５】
2015510128.tif 000007
【図６】
2015510128.tif 000008
【国際調査報告】
2015510128.tif 000009